(57)【要約】【課題】簡易な構成で屋内への雨水侵入を抑制しつつ、屋外を流れる風を通過させることができる換気ユニットを提供する。【解決手段】屋根面１００に形成された開口１１０の縁部に固定された開口枠１０と、開口１１０及び開口枠１０を覆う蓋部材２０と、蓋部材２０を開口枠１０に当接させた閉状態と開口枠１０から離隔させた開状態との間で移動させる移動機構３０と、を備える換気ユニット１である。蓋部材２０は、開口１１０及び開口枠１０を覆う本体部２１と、本体部２１の縁部から外方に延在した状態で設けられるとともに蓋部材２０が開状態にあるときに蓋部材２０と開口枠１０との間に形成される空隙からの雨水の侵入を抑制する庇部２２と、を有する。【選択図】図１
2013194380.tif 000002
【特許請求の範囲】
【請求項１】
屋根面に形成された開口の縁部に固定された開口枠と、前記開口及び前記開口枠を覆う蓋部材と、前記蓋部材を前記開口枠に当接させた閉状態と前記開口枠から離隔させた開状態との間で移動させる移動機構と、を備える換気ユニットであって、
前記蓋部材は、
前記開口及び前記開口枠を覆う本体部と、
前記本体部の縁部から外方に延在した状態で設けられるとともに前記蓋部材が前記開状態にあるときに前記蓋部材と前記開口枠との間に形成される空隙からの雨水の侵入を抑制する庇部と、を有している、
換気ユニット。
【請求項２】
前記蓋部材の前記庇部の下面は、前記蓋部材の前記本体部から離隔するにつれて前記屋根面に近接する下り傾斜状に形成されている、
請求項１に記載の換気ユニット。
【請求項３】
前記蓋部材の前記庇部と前記屋根面との間には、前記庇部の下面に対向するように配置され前記屋根面から前記開口枠の上端部に向けて上り傾斜状の換気路を形成する対向部材が設けられている、
請求項２に記載の換気ユニット。
【請求項４】
前記屋根面は傾斜状に形成されており、前記開口枠よりも水上側となる位置には、前記開口枠に向けて流下する雨水を前記開口枠の側方に向けて案内する樋部が設けられている、
請求項１又は２に記載の換気ユニット。
【請求項５】
前記蓋部材の前記本体部の表面には、前記開口枠に向けての日射を遮蔽可能な素材で構成された覆部が設けられている、
請求項１から４の何れか一項に記載の換気ユニット。
【発明の詳細な説明】
【技術分野】
【０００１】
本発明は、換気ユニットに関する。
【背景技術】
【０００２】
住宅等では、屋根裏空間や小屋裏収納等の小屋裏空間に熱や湿気がこもると建物に悪影響を及ぼす場合がある。そこで、屋根面を介して建物内の換気を行うことにより、建物内の熱や湿気を排除する技術が実用化されている。屋根面を介して換気を行う場合、屋根面に所定の寸法を持った開口を形成し、この開口に換気機能を持った換気口を取り付けるのが一般的である。
【０００３】
現在においては、屋根面に取り付ける換気口として種々の構成を有するものが提案されており、代表的な構成は、屋根面に形成した開口の縁部に開口枠を取り付けるとともに開口枠の上部に蓋部材を取り付け、両者の間に換気用の通路を形成するものである。また、換気口に単なる屋根裏の防湿のみならず、屋根裏下方の居室を換気する換気口としての機能を付与した換気口も提案されている。
【０００４】
例えば、近年においては、天井面に開口する天井排気口と連通する中空部分を有し屋根部の上方に突出する本体筒状部と、本体筒状部の上端部に連設配置され本体筒状部の断面形状に沿った環状に配される枠部材を間隔をおいて積層して形成される横縞状筒状部と、を備える建築物用通風塔が提案されている（特許文献１参照）。
【０００５】
特許文献１に記載された建築物用通風塔においては、横縞状筒状部の内側に、本体筒状部の上端開口を閉塞した状態から横縞状筒状部の上端部との間で昇降して通風塔を開閉するトップライト部材を設けており、トップライト部材を上昇させて通風塔を開放した際に、トップライト部材の下方の本体筒状部との間で横縞状筒状部の間隔部分を介して横方向に風が抜けるようにしている。かかる構成によれば、横縞状筒状部としてのルーバ機構等によって機械設備によらない降雨対策が採られており、雨水の浸入を回避しつつ通風を確保することができる、とされている。
【先行技術文献】
【特許文献】
【０００６】
【特許文献１】特開２００６−２６５８２４号公報
【発明の概要】
【発明が解決しようとする課題】
【０００７】
しかしながら、特許文献１に記載されたような横縞状筒状部（ルーバ機構）は、雨を遮るために羽板の組み合わせになっていて、通風に寄与する開口面積は少なくなるとともに羽根板が通風に抵抗するものとなり、却って風が通り難い構造となっており、相当量の通風量を可能にするとはいえないものである。よって、より効率良く通風を実現させる技術が待望されている。
【０００８】
ところで、都市のような密集地では、建物同士の間隔が近接していることから、建物の壁に取り付けられている通常の窓からの通風は得にくい状態にある。しかし、その建物周囲には、同じ高さ程度の家屋が建っているため、屋根上部には風が流れている。また、風は、卓越風として、季節や時間帯によってほぼ決まった方向から、その地域に流れると思われがちであるが、その地域の地形などに影響され、実際はいろいろな方向から流れている。これらの風を上手く利用するためには、屋根に取り付けられている天窓（それもいろいろな方向から流れてくる風に対応した通風利用の窓）が必要である。この種の窓は、省エネが叫ばれる昨今重要度を増している。このような観点からも、通風を効率良く実現させる技術が待望されていた。
【０００９】
本発明は、かかる事情に鑑みてなされたものであり、簡易な構成で屋内への雨水侵入を抑制しつつ、屋外を流れる風を通過させることができる換気ユニットを提供することを目的とする。
【課題を解決するための手段】
【００１０】
前記目的を達成するため、本発明に係る換気ユニットは、屋根面に形成された開口の縁部に固定された開口枠と、開口及び開口枠を覆う蓋部材と、蓋部材を開口枠に当接させた閉状態と開口枠から離隔させた開状態との間で移動させる移動機構と、を備えるものであって、蓋部材は、開口及び開口枠を覆う本体部と、本体部の縁部から外方に延在した状態で設けられるとともに蓋部材が開状態にあるときに蓋部材と開口枠との間に形成される空隙からの雨水の侵入を抑制する庇部と、を有するものである。
【００１１】
かかる構成を採用すると、蓋部材が開状態のときは、風が如何なる方向から流れていても屋内の通風を実現させることができ、かつ、雨が降っても庇部によって雨水の屋内への侵入を抑制することができる。また、外部が降水状態であることを認識した居住者は、蓋部材を移動させて開状態から閉状態へと移行させることにより、雨水等の室内への侵入を確実に防止することができる。庇部は、このように開状態から閉状態へと移行する間の雨水の室内側への吹き込みを可及的抑制し、閉状態となるまでの時間を稼ぐことができるものとなっている。また、庇部によって、蓋部材が開状態のときに直射日光が蓋部材と開口との間から室内に入射することを抑制することができ、開口からの日射の侵入に伴う室内側の温度上昇を抑制することができる。
【００１２】
本発明に係る換気ユニットにおいて、蓋部材の庇部の下面を、蓋部材の本体部から離隔するにつれて屋根面に近接する下り傾斜状に形成することが好ましい。
【００１３】
かかる構成を採用すると、蓋部材の先端部と屋根面との間隔が狭まり、雨水の吹き込み口が狭くなるため、室内側への雨水等の吹き込みをさらに抑制することができる。
【００１４】
また、本発明に係る換気ユニットにおいて、蓋部材の庇部と屋根面との間に、庇部の下面に対向するように配置され屋根面から開口枠の上端部に向けて上り傾斜状の換気路を形成する対向部材を設けることができる。
【００１５】
かかる構成を採用すると、屋根面上には、蓋部材と対向する位置に対向部材が配置され、対向部材と蓋部材の下面との間に開口枠上端部に向けての上り傾斜状の換気路が形成されることとなるので、これらの間に入り込んだ風をよりスムーズに開口枠上部に通過させることができ、換気能を向上させることができる（なお、このような対向部材がないと、開口枠基端部周囲で乱流等が発生し、これによって通風が妨げられてしまう虞がある）。
【００１６】
また、屋根面が傾斜状に形成されている場合においては、本発明に係る換気ユニットの開口枠よりも水上側となる位置に、開口枠に向けて流下する雨水を開口枠の側方に向けて案内する樋部を設けることができる。
【００１７】
かかる構成を採用すると、傾斜状の屋根面に開口及び開口枠が設けられることにより開口枠に向けて雨水等が流下するため、開口枠を経由して雨水等が室内側に向けて侵入する虞が生じるが、開口枠よりも水上側となる位置に樋部が設けられ、この樋部により雨水等は開口枠側方へと案内されることとなるため、開口及び開口枠からの雨水等の侵入を著しく抑制することができる。
【００１８】
また、本発明に係る換気ユニットにおいて、蓋部材の本体部の表面に、開口枠に向けての日射を遮蔽可能な素材で構成された覆部を設けることができる。
【００１９】
かかる構成を採用すると、開口からの日射の侵入を抑制することができ、開口からの日射の侵入に伴う室内側の温度上昇や高輝度部発生等の環境の変化を防止することができる。
【発明の効果】
【００２０】
本発明によれば、簡易な構成で屋内への雨水侵入を抑制しつつ、屋外を流れる風を通過させることができる換気ユニットを提供することが可能となる。
【図面の簡単な説明】
【００２１】
【図１】本発明の第一実施形態に係る換気ユニット（蓋部材閉状態）の構成を説明するための断面図である。
【図２】図１に示す換気ユニットの蓋部材が開状態にあり蓋部材と開口枠との間の離隔寸法が短い場合の断面図である。
【図３】図１に示す換気ユニットの蓋部材が開状態にあり蓋部材と開口枠との間の離隔寸法が長い場合の断面図である。
【図４】本発明の第二実施形態に係る換気ユニット（蓋部材閉状態）の構成を説明するための断面図である。
【図５】本発明の第三実施形態に係る換気ユニット（蓋部材閉状態）の構成を説明するための断面図である。
【図６】図５に示す換気ユニットの開口枠と樋部との位置関係を説明するための説明図である。
【図７】本発明の第四実施形態に係る換気ユニット（蓋部材開状態）の構成を説明するための断面図である。
【発明を実施するための形態】
【００２２】
以下、図面を参照して、本発明の実施形態について説明する。なお、以下の各実施形態はあくまでも好適な適用例であって、本発明の適用範囲がこれに限定されるものではない。
【００２３】
＜第一実施形態＞
まず、図１〜図３を用いて、本発明の第一実施形態に係る換気ユニット１について説明する。
【００２４】
本実施形態に係る換気ユニット１は、図１に示すように、建物の屋根面１００に形成された開口１１０の縁部１１１に固定された開口枠１０と、開口１１０及び開口枠１０を覆う蓋部材２０と、蓋部材２０を開口枠１０に当接させた閉状態と開口枠１０から離隔させた開状態との間で移動させる移動機構３０と、を備えている。なお、本実施形態においては、換気ユニット１が設けられる屋根面１００が略水平に形成されている。屋根面１００の開口１１０は、屋根面１００を構成する下地材１００ａに所定形状（例えば矩形状）及び所定寸法を有するように形成されている。
【００２５】
開口枠１０の本体部１０ａは、開口１１０の周囲の縁部に配置されて下地材１００ａに固着されている。下地材１００ａが合板等の木質材からなる野地板である場合、開口枠１０の本体部１０ａは所定寸法を有する木質材や金属の型材によって構成され、釘や木ネジやビス等の最適な手段で下地材１００ａに固着されている。また、下地材１００ａの上表面であって開口枠１０によって区画された部分を除く面には、瓦やスレート等の屋根材１２０が配置され、各々所定の手段で下地材１００ａに固着されている。なお、本実施形態においては、開口枠１０の周囲領域（下地材１００ａと屋根材１２０との間）に防水シート１３０を配置している。
【００２６】
開口枠１０の本体部１０ａの外周には、段状の外枠部材１１が釘やビス等の手段によって固着されており、外枠部材１１の上面には、蓋部材２０が閉状態（図１）にあるときに蓋部材２０の本体部２１（後述）の下面に接触するパッキン１２が設けられている。また、開口枠１０の本体部１０ａの内周には、内枠部材１３が接着剤等の所定の手段によって固着されており、内枠部材１３には網戸１４が嵌め込まれている。外枠部材１１及び内枠部材１３は、金属や合成樹脂等で構成することができる。
【００２７】
蓋部材２０は、開口１１０及び開口枠１０を覆う本体部２１と、本体部２１の縁部から外方に延在した状態で設けられるとともに蓋部材２０が開状態にあるときに蓋部材２０と開口枠１０との間に形成される空隙からの雨水の侵入を抑制する庇部２２と、を有している。
【００２８】
蓋部材２０の本体部２１は、開口枠１０の平面形状（例えば矩形状）と同様の平面形状と、開口枠１０の外径とほぼ同じ外径と、を有しており、それ自体で開口１１０及び開口枠１０を覆うことができるように構成されている。本体部２１は、枠状のフレーム部と、このフレーム部に収容される収容体と、で構成することができる。収容体としては、ＡＬＣ、断熱材、防水シート又はこれらを組み合わせたものを採用することができる。また、収容体として、フレーム部に周囲を保持されたガラスを採用してもよい。
【００２９】
蓋部材２０の庇部２２は、蓋部材２０の本体部２１の外周縁部に釘やビス等の手段によって固着されている。本実施形態における庇部２２の上面２２ａは、外方になるに従って漸次鉛直方向下方に傾斜するように形成されている。庇部２２は、このような傾斜した上面２２ａによって雨水が切れやすくなっており、先端が狭いことで風の抵抗も少なくなっている。一方、庇部２２の下面２２ｂは、略水平方向に延在するように形成されており、庇部２２の先端には、水切り２３がビス等の手段によって取り付けられている。
【００３０】
移動機構３０は、蓋部材２０を上下動（昇降）させることにより、蓋部材２０が開口枠１０に当接した閉状態（図１）と、蓋部材２０が開口枠１０から離隔した開状態（図２及び図３）と、の双方を実現させるものである。本実施形態における移動機構３０は、Ｘ字状のリンク機構（パンタグラフ）であり、これにより、蓋部材２０の本体部２１の下面２１ａが、開口枠１０の本体部１０ａの上面に対して同じ間隔を維持した状態で、開口枠１０の本体部１０ａに対して近接・離隔する。これにより、全方位（四周、３６０°何れの方向からも）から風を受け入れることができるものとなっている。また、移動機構３０は、換気に影響を与えないような構成とされる。
【００３１】
本実施形態における移動機構３０は、図示されていない手動の操作部（回転式のハンドル等）を操作することによって機械的な伝達手段を介して駆動されるように構成されており、建物の居住者がこの操作部を操作することにより、蓋部材２０を開口枠１０に対して昇降させることができるものとなっている。なお、スイッチ等を押圧操作することによって作動する電動の駆動手段を用いて移動機構３０を駆動してもよい。
【００３２】
本実施形態における換気ユニット１においては、蓋部材２０の垂直昇降による開口枠１０の本体部１０ａと蓋部材２０の本体部２１との離隔寸法を、目的に応じて適宜調整することができる。
【００３３】
例えば、屋内の排熱等の換気を目的とする場合には、図２に示すように、開口枠１０の本体部１０ａと蓋部材２０の本体部２１との離隔寸法を比較的短く設定するようにする。なお、庇部２２の効果により換気時は雨水の浸入が抑制されるので、降雨時であっても換気は可能である。
【００３４】
一方、屋内に相当量の通風を得ることを目的とする場合には、図３に示すように、開口枠１０の本体部１０ａと蓋部材２０の本体部２１との離隔寸法を比較的長く設定する。このようにすることにより、蓋部材２０と開口枠１０との間に風が抜けるようになり、開口枠１０上に風を通過させ、室内側の滞留空気を引き上げ、開口枠１０から流出させることができる。この結果、室内窓部、室内、開口枠１０をこの順に経由した空気の流路が形成されることとなり、屋内に相当量の通風を得ることができる。このような通風時にも、ある程度の雨であれば、庇部２２で雨水の浸入を抑制することができる。
【００３５】
以上説明した実施形態に係る換気ユニット１においては、蓋部材２０が開状態のときは、風が如何なる方向から流れていても屋内の通風が実現されることとなり、かつ、雨が降っても庇部２２によって雨水の屋内への侵入が抑制されることとなる。また、外部が降水状態であることを認識した居住者は、蓋部材２０を移動させて開状態から閉状態へと移行させることにより、雨水等の室内への侵入を確実に防止することができる。庇部２２は、このように開状態から閉状態へと移行する間の雨水の室内側への吹き込みを可及的抑制し、閉状態となるまでの時間を稼ぐことができるものとなっている。また、庇部２２によって、蓋部材２０が開状態のときに直射日光が蓋部材２０と開口１１０との間から室内に入射することを抑制することができ、開口１１０からの日射の侵入に伴う室内側の温度上昇を抑制することができる。
【００３６】
＜第二実施形態＞
次に、図４を用いて、本発明の第二実施形態に係る換気ユニット２について説明する。本実施形態に係る換気ユニット２は、第一実施形態に係る換気ユニット１の蓋部材２０の構成を変更するとともに新たな構成を追加したものであり、その他の構成については第一実施形態と実質的に同一である。従って、第一実施形態と共通する構成については、同一の符合を付して詳細な説明を省略することとする。
【００３７】
本実施形態に係る換気ユニット２は、図４に示すように、建物の屋根面１００に形成された開口１１０の縁部１１１に固定された開口枠１０と、開口１１０及び開口枠１０を覆う蓋部材２０Ａと、蓋部材２０Ａを開口枠１０に当接させた閉状態と開口枠１０から離隔させた開状態との間で移動させる移動機構３０と、を備えている。開口枠１０及び移動機構３０は、第一実施形態で説明したものと実質的に同一であるので、詳細な説明を省略する。なお、本実施形態においても、第一実施形態と同様に屋根面１００が略水平に形成されている。
【００３８】
本実施形態における蓋部材２０Ａは、開口１１０及び開口枠１０を覆う本体部２１Ａと、本体部２１Ａの縁部から外方に延在した状態で設けられるとともに蓋部材２０Ａが開状態にあるときに蓋部材２０Ａと開口枠１０との間に形成される空隙からの雨水の侵入を抑制する庇部２２Ａと、を有している。本体部２１Ａは、第一実施形態で説明した本体部２１と実質的に同一であるので、詳細な説明を省略する。
【００３９】
本実施形態に係る換気ユニット２は、通風や換気に特化したものであるため、蓋部材２０Ａの本体部２１Ａの表面が、開口枠１０に向けての日射を遮蔽可能な素材で構成した覆部２４で覆われている。覆部２４は、日射によって屋内の熱環境が影響されてしまうのを防ぐものである。夏季など、建物を冷やしたり、体感温度を下げたりするのに通風は必要である。この際、日射の流入があれば、通風の効果は減少してしまう。そのために、日射を貫入させない素材で覆部２４を構成することで、日射を防ぐことが出来る。覆部２４を、断熱性に優れたＡＬＣ（軽量気泡コンクリート）で構成すると、日射による熱に流入を更に防ぐことができるので好ましい。ＡＬＣは、塗装で表面を仕上げてもよいし、その上にさらに断熱材や放水シートを積層してもよい。
【００４０】
蓋部材２０Ａの庇部２２Ａは、蓋部材２０Ａの本体部２１Ａの外周縁部に釘やビス等の手段によって固着されている。庇部２２Ａの上面２２Ａａは、外方になるに従って漸次鉛直方向下方に傾斜するように形成されている。また、本実施形態においては、庇部２２Ａの下面２２Ａｂもまた、外方になるに従って（本体部２１Ａから離隔するにつれて）屋根面１００に近接するような下り傾斜状に形成されている。そして、庇部２２Ａの先端には、水切り２３がビス等の手段によって取り付けられている。本実施形態においては、このように庇部２２Ａが全体として下り傾斜状に形成されているため、先端に取り付けられた水切り２３の下端部の高さ（図４の破線）は、開口枠１０の上端部の高さよりも低くなっており、このため、第一実施形態よりも雨水が浸入し難くなるとともに、日射が入り込むことを防ぐことができる。
【００４１】
本実施形態に係る換気ユニット２は、図４に示すように、蓋部材２０Ａの庇部２２Ａと屋根面１００との間に、庇部２２Ａの下面２２Ａｂに対向するように配置され屋根面１００から開口枠１０の上端部に向けて上り傾斜状の換気路５０を形成する対向部材４０を備えている。開口枠１０の側部が単なる垂直方向の立ち上がりであれば、その立ち上がりに風が衝突して気流が乱れ、その結果風が通過し難くなるが、本実施形態においては、対向部材４０により開口枠１０の上端部（開放部）に向かった傾斜を付けることで、庇部２２Ａの下を通過する風が滑らかに流れるようになる。対向部材４０と蓋部材２０Ａの庇部２２Ａの間に形成される換気路５０は、庇部２２Ａの先端から開口枠１０の上端部に向かうに連れて徐々に狭く形成される。これにより、開口枠１０の上方での通風の風力を増大させ、室内側の滞留空気の引き込み力を増大させることが可能となる。
【００４２】
以上説明した実施形態に係る換気ユニット２においては、第一実施形態に係る換気ユニット１と同様の作用効果を奏することができる。また、本施形態に係る換気ユニット２においては、蓋部材２０Ａの庇部２２Ａの下面２２Ａｂを、蓋部材２０Ａの本体部２１Ａから離隔するにつれて屋根面１００に近接する下り傾斜状に形成している。このため、蓋部材２０Ａの先端部と屋根面１００との間隔が狭まり、雨水の吹き込み口が狭くなるため、室内側への雨水等の吹き込みがさらに抑制されることとなる。
【００４３】
また、以上説明した実施形態に係る換気ユニット２においては、屋根面１００上に、蓋部材２０Ａと対向する位置に対向部材４０が配置され、対向部材４０と蓋部材２０Ａの庇部２２Ａの下面２２Ａｂとの間に開口枠１０上端部に向けての上り傾斜状の換気路５０が形成されることとなる。よって、これらの間に入り込んだ風をよりスムーズに開口枠１０上部に通過させることができるため、換気能が向上することとなる。
【００４４】
また、以上説明した実施形態に係る換気ユニット２においては、蓋部材２０Ａの本体部２１Ａの表面に、開口枠１０に向けての日射を遮蔽可能な素材で構成された覆部２４を設けているため、開口１００からの日射の侵入が抑制され、開口１００からの日射の侵入に伴う室内側の温度上昇や高輝度部発生等の環境の変化が防止される。
【００４５】
＜第三実施形態＞
次に、図５及び図６を用いて、本発明の第三実施形態に係る換気ユニット３について説明する。本実施形態に係る換気ユニット３は、第一実施形態に係る換気ユニット１に新たな構成を追加したものであり、その他の構成については第一実施形態と実質的に同一である。従って、第一実施形態と共通する構成については、同一の符合を付して詳細な説明を省略することとする。
【００４６】
本実施形態に係る換気ユニット３は、図５に示すように、建物の屋根面１００に形成された開口１１０の縁部１１１に固定された開口枠１０と、開口１１０及び開口枠１０を覆う蓋部材２０と、蓋部材２０を開口枠１０に当接させた閉状態と開口枠１０から離隔させた開状態との間で移動させる移動機構３０と、を備えている。開口枠１０、蓋部材２０及び移動機構３０は、第一実施形態で説明したものと実質的に同一であるので、詳細な説明を省略する。本実施形態に係る換気ユニット３は、屋根面１００が傾斜状に形成された勾配屋根に設置されている。
【００４７】
本実施形態に係る換気ユニット３は、図５及び図６に示すように、開口枠１０よりも水上側となる位置に、開口枠１０に向けて流下する雨水を開口枠１０の側方に向けて案内する樋部６０を備えている。樋部６０には、開口枠１０の側方に配置された側方排水樋７０に連通する連通孔６１が設けられており、樋部６０全体が側方排水樋７０に向けて傾斜している。勾配屋根上方から屋根面１００を伝わる雨水が大量であると、開口枠１０の本体部１０ａの立ち上がりを越えて雨水が建物内に浸入することがある。雨水が立ち上がり部を越えないように、樋部６０に雨水返しを付け建物内侵入を防ぐとともに、側方の屋根勾配部に速やかに雨水を排出する。なお、図６においては、開口枠１０と樋部６０との位置関係を把握し易くするため、蓋部２０や移動機構３０の図示を省略するとともに、開口枠１０の構成を簡略化することとしている。また、図６においては、側方排水樋７０を開口枠１０の一辺側にのみ設けた例を示したが、開口枠１０の対向する二辺に側方排水樋７０を設けることもできる。
【００４８】
以上説明した実施形態に係る換気ユニット３においては、第一実施形態に係る換気ユニット１と同様の作用効果を奏することができる。また、本実施形態に係る換気ユニット３においては、傾斜状に形成された屋根面１００に設けられた開口枠１０よりも水上側となる位置に、開口枠１０に向けて流下する雨水を開口枠１０の側方に向けて案内する樋部６０を設けている。このため、樋部６０により雨水等は開口枠１０側方へと案内されることとなり、開口１１０及び開口枠１０からの雨水等の侵入が著しく抑制されることとなる。
【００４９】
＜第四実施形態＞
次に、図７を用いて、本発明の第四実施形態に係る換気ユニット４について説明する。本実施形態に係る換気ユニット４は、第四実施形態に係る換気ユニット１の蓋部材２０及び移動機構３０の構成を変更したものであり、その他の構成については第一実施形態と実質的に同一である。従って、第一実施形態と共通する構成については、同一の符合を付して詳細な説明を省略することとする。
【００５０】
本実施形態に係る換気ユニット４は、図７に示すように、建物の屋根面１００に形成された開口１１０の縁部１１１に固定された開口枠１０と、開口１１０及び開口枠１０を覆う蓋部材２０Ｂと、蓋部材２０Ｂを開口枠１０に当接させた閉状態と開口枠１０から離隔させた開状態との間で移動させる移動機構８０と、を備えている。開口枠１０は、第一実施形態で説明したものと実質的に同一であるので、詳細な説明を省略する。なお、本実施形態においては、第一実施形態と同様に屋根面１００が略水平に形成されている。
【００５１】
本実施形態における蓋部材２０Ｂは、開口１１０及び開口枠１０を覆う本体部２１Ｂと、本体部の縁部から外方に延在した状態で設けられるとともに蓋部材２０Ｂが開状態にあるときに蓋部材２０Ｂと開口枠１０との間に形成される空隙からの雨水の侵入を抑制する庇部２２Ｂと、が一体的に連接されて、図７に示すように、紙面前後方向中央部における縦断面形状が翼断面形状に近似した形状とされている。
【００５２】
具体的には、蓋部材２０Ｂの上面２０Ｂａは上方に凸の比較的緩やかな曲面形状を有しており、蓋部材２０Ｂの下面２０Ｂｂは下方に凸の比較的膨らんだ曲面形状を有している。このため、蓋部材２０Ｂの径方向一端部２０Ｂｃから径方向他端部２０Ｂｄまでにいたる曲面の長さは、上面２０Ｂａよりも下面２０Ｂｂの方が長くなっている。よって、蓋部材２０Ｂの側方から蓋部材２０Ｂに向けて流れてきた風が蓋部材２０Ｂの径方向端部で上面２０Ｂａ側と下面２０Ｂｂ側とに分けられた場合、下面２０Ｂｂ側を流れる風の速度が上面２０Ｂａ側を流れる風の速度を上回ることとなる。このようにして蓋部材２０Ｂの下面２０Ｂｂ側を流れる風の速度が上昇すると、ベルヌイの定理により、蓋部材２０Ｂの下面２０Ｂｂ付近における圧力（静圧）が低下することとなる。すると、室内側の滞留空気が蓋部材２０Ｂ側へと強く引き上げられ（吸引され）るため、滞留空気の排出が促進されることとなる。
【００５３】
本実施形態に係る換気ユニット４の開口枠１０の上方には、蓋部材２０Ｂの下面２０Ｂｂの曲面形状と同様の曲面形状を有する受け部１５が設けられている。そして、受け部１５と開口枠１０の上端部との間にはパッキン１６が配置されて防水性を確保している。受け部１５には水切り部１５ａが設けられており、受け部１５に溜まった雨水を水切り部１５ａでせき止め、水切り部１５ａよりも径方向外側に設けられた図示されていない水切り孔から雨水を排出することができるようになっている。
【００５４】
移動機構８０は、蓋部材２０Ｂを上下動（昇降）させることにより、蓋部材２０Ｂが開口枠１０に当接した閉状態と、蓋部材２０Ｂが開口枠１０から離隔した開状態（図７）と、の双方を実現させるものである。本実施形態における移動機構８０は、開口枠１０の本体部１０ａの内周に周方向に沿って間隔をおいて複数取り付けられた複数の支持部８１と、支持部８１に対して上下動可能に取り付けられたロッド部８２と、を有している。そして、図示されていないスイッチを押圧操作することによって作動する電動の駆動手段を用いて、ロッド部８２を上下動させることができるように構成されている。このような移動機構８０により、蓋部材２０Ｂの下面２０Ｂｂが、開口枠１０の本体部１０ａの上面に対して同じ間隔を維持した状態で、開口枠１０の本体部１０ａに対して近接・離隔する。これにより、全方位（四周、３６０°何れの方向からも）から風を受け入れることができるものとなっている。
【００５５】
以上説明した実施形態に係る換気ユニット４においては、第一実施形態に係る換気ユニット１と同様の作用効果を奏することができる。
【００５６】
本発明は、以上の各実施形態に限定されるものではなく、これら実施形態に当業者が適宜設計変更を加えたものも、本発明の特徴を備えている限り、本発明の範囲に包含される。すなわち、前記各実施形態が備える各要素及びその配置、材料、条件、形状、サイズ等は、例示したものに限定されるわけではなく適宜変更することができる。また、前記各実施形態が備える各要素は、技術的に可能な限りにおいて組み合わせることができ、これらを組み合わせたものも本発明の特徴を含む限り本発明の範囲に包含される。
【符号の説明】
【００５７】
１・２・３・４…換気ユニット
１０…開口枠
２０・２０Ａ・２０Ｂ…蓋部材
２１・２１Ａ・２２Ｂ…本体部
２２・２２Ａ・２２Ｂ…庇部
２２Ａｂ…（庇部の）下面
２４…覆部
３０…移動機構
４０…対向部材
５０…換気路
６０…樋部
８０…移動機構
１００…屋根面
１１０…開口
【図１】
2013194380.tif 000003
【図２】
2013194380.tif 000004
【図３】
2013194380.tif 000005
【図４】
2013194380.tif 000006
【図５】
2013194380.tif 000007
【図６】
2013194380.tif 000008
【図７】
2013194380.tif 000009